(57)【要約】【課題】  本発明は、簡易な構成でユーザにディスクの着脱を容易に行わせ得るようにする。【解決手段】  本発明は、ディスクドライブ部５の筐体２にフタ１１とトレイ２１とをそれぞれ回動自在に組み込み、筐体２に対してフタ１１が開閉される際に、トレイ連動軸１５をガイド溝２４に沿って摺動させ、当該フタ１１に加えられる力をトレイ連動軸１５及びガイド溝２４を介してトレイ２１に伝えることにより、当該フタ１１に連動してトレイ２１を回動させることができ、当該フタ１１が開かれると当該トレイ２１の下部を前方向にせり出させて当該トレイ２１の前面をやや上方へ向けることができ、また当該フタ１１が閉じられると当該トレイ２１の下部を後方向に収納しほぼ垂直に立たせることができる。【選択図】        図３
2006024249.tif 000002
【特許請求の範囲】
【請求項１】
筐体に対して回動自在に支持され、ディスク状記録媒体を保持するディスク保持手段と、上記筐体に対して開閉自在に支持され、閉状態において上記ディスク保持手段を保護する蓋体とを有するディスクドライブ装置であって、
上記蓋体は、当該蓋体の開閉動作を上記ディスク保持手段に伝達する開閉動作伝達手段を具え、
上記ディスク保持手段は、上記開閉動作伝達手段を介して伝達される上記蓋体の開閉動作を受け、上記蓋体の開動作に連動して当該ディスク保持手段を上記筐体の外方に回動してせり出させ、上記蓋体の閉動作に連動して当該ディスク保持手段を上記筐体の内方に回動して収納させる蓋体回動手段を具える
ことを特徴とするディスクドライブ装置。
【請求項２】
上記蓋体回動手段は、所定形状に形成されたガイド溝でなり、
上記開閉動作伝達手段は、上記蓋体の開閉動作に応じて回動すると共に上記ガイド溝内を摺動する連動軸でなる
ことを特徴とする請求項１に記載のディスクドライブ装置。
【請求項３】
上記ガイド溝は、
上記蓋体の閉状態において、上記連動軸によって上記ディスク保持手段の回動を規制するように形成されている
ことを特徴とする請求項２に記載のディスクドライブ装置。
【請求項４】
上記ガイド溝は、
上記筐体に対して上記蓋体が所定角度未満だけ開いた状態において、上記蓋体の開閉動作に関わらず、上記連動軸によって上記ディスク保持手段が回動しないように形成されている
ことを特徴とする請求項２に記載のディスクドライブ装置。
【請求項５】
上記ガイド溝は、
上記筐体に対して上記蓋体が所定角度以上開いた状態において、上記蓋体の開閉動作と連動して、上記連動軸によって上記ディスク保持手段が回動されるように形成されている
ことを特徴とする請求項２に記載のディスクドライブ装置。
【請求項６】
上記ガイド溝は、
上記蓋体の開状態において、上記連動軸によって上記ディスク保持手段の回動を規制するように形成されている
ことを特徴とする請求項２に記載のディスクドライブ装置。
【請求項７】
上記ディスク保持手段は、上記ディスク状記録媒体を駆動するディスク駆動部が組み込まれている
ことを特徴とする請求項１に記載のディスクドライブ装置。
【発明の詳細な説明】
【技術分野】
【０００１】
本発明はディスクドライブ装置に関し、例えばディスク面を垂直に立てた状態でディスクを再生するＣＤプレイヤに適用して好適なものである。
【背景技術】
【０００２】
従来、ＣＤプレイヤのなかには、縦型のディスクドライブ部を搭載し、ディスク面を垂直に立てた状態で当該ディスクを回転させ、楽曲データを読み出して再生するようになされたものがある。
【０００３】
このようなＣＤプレイヤにおいては、ユーザにディスクを着脱させる際に、ディスクドライブ部を保護するフタを開いてから、当該ディスクを垂直方向に立てた状態で着脱させるようになされている。
【０００４】
さらにＣＤプレイヤのなかには、フタを開いた際に、ディスクをセットさせるトレイをモータの駆動力によって手前にせり出させて当該トレイをやや上向きに傾けさせることにより、ユーザに当該ディスクを着脱させやすいようになされたものが提案されている（例えば、特許文献１参照）。
【特許文献１】特開２００３−２２３７５４公報（第６頁〜第８頁、第１２図〜第２０図）
【発明の開示】
【発明が解決しようとする課題】
【０００５】
しかし、かかる構成のＣＤプレイヤにおいては、駆動モータと多数のギヤとを組み合わせてフタ及びトレイを駆動しているため、構成が複雑になってしまうという問題があった。
【０００６】
本発明は以上の点を考慮してなされたもので、簡易な構成でユーザにディスクの着脱を容易に行わせ得るディスクドライブ装置を提案しようとするものである。
【課題を解決するための手段】
【０００７】
かかる課題を解決するため本発明のディスクドライブ装置においては、筐体に対して回動自在に支持され、ディスク状記録媒体を保持するディスク保持手段と、筐体に対して開閉自在に支持され、閉状態においてディスク保持手段を保護する蓋体とを有するディスクドライブ装置であって、蓋体は、当該蓋体の開閉動作をディスク保持手段に伝達する開閉動作伝達手段を設け、ディスク保持手段は、開閉動作伝達手段を介して伝達される蓋体の開閉動作を受け、蓋体の開動作に連動して当該ディスク保持手段を上記筐体の外方に回動してせり出させ、蓋体の閉動作に連動して当該ディスク保持手段を上記筐体の内方に回動して収納させる蓋体回動手段を設けるようにした。
【０００８】
これにより、筐体に対して蓋体が開閉される際に当該蓋体に加えられる力をディスク保持手段に伝達することができるので、他の駆動力等を用いることなく、当該蓋体の開閉動作と連動させて当該ディスク保持手段を筐体の外方にせり出させ、また筐体の内方に収納させることができる。
【発明の効果】
【０００９】
本発明によれば、筐体に対して蓋体が開閉される際に当該蓋体に加えられる力をディスク保持手段に伝達することができるので、他の駆動力等を用いることなく、当該蓋体の開閉動作と連動させて当該ディスク保持手段を筐体の外方にせり出させ、また筐体の内方に収納させることができ、かくして簡易な構成でユーザにディスクの着脱を容易に行わせ得るディスクドライブ装置を実現できる。
【発明を実施するための最良の形態】
【００１０】
以下、図面について、本発明の一実施の形態を詳述する。
【００１１】
（１）ＣＤプレイヤの全体構成
図１及び図２において、１は全体として本発明のディスクドライブ部を有するＣＤプレイヤの全体構成を示し、ラジオの受信やＣＤ（Compact Disc）の再生を行い、その音声を出力し得るようになされている。
【００１２】
ＣＤプレイヤ１は、筐体２を中心に構成されており、当該筐体２に、各種操作を行う操作スイッチ３Ａ、３Ｂ及び３Ｃ、ラジオの受信周波数やＣＤの再生時間等を表示するための表示部４、ディスク９を駆動するディスクドライブ部５、当該ディスクドライブ部５のフタ１１を開くためのフタボタン６、音声を出力する左右のスピーカ７Ｌ及び７Ｒ等が設けられている。
【００１３】
ちなみにＣＤプレイヤ１は、いわゆるポータブル型のＣＤプレイヤであり、筐体２の上部にハンドル部が形成され、ユーザに当該ハンドル部を把持させて容易に持ち運ばせるようになされている。
【００１４】
ディスクドライブ部５は、図２に示すようにディスク９のディスク面をほぼ垂直に立てた状態で装着する、いわゆる縦型のドライブでなり、当該ディスク９のディスク面を水平に装着する、いわゆる横型のドライブと比較して、ＣＤプレイヤ１全体の前後方向の長さを短くして占有床面積を抑え得るようになされている。
【００１５】
ＣＤプレイヤ１は、ディスクドライブ部５のフタ１１が閉じた状態（図１）においてフタロック爪８（図２）がフタ１１のロック孔１１Ｈと係合することにより当該フタ１１を閉じた状態に保持するようになされている。そしてＣＤプレイヤ１は、フタボタン６が押下されると、フタロック爪８を下方向に移動させてフタ１１のロック孔１１Ｈとの係合状態を解除してフタ１１を回動させ、当該フタ１１を手前に開いた状態（図２）にするようになされている。
【００１６】
またＣＤプレイヤ１は、フタ１１を開いた状態（図２）からユーザの手動操作によって当該フタ１１が回動され押し込まれると、再度フタロック爪８を当該フタ１１のロック孔１１Ｈと係合させて、再び当該フタ１１を閉じた状態（図１）に戻すようになされている。
【００１７】
なおＣＤプレイヤ１においては、フタ１１が開かれる手前側へ向かう方向を前方向とし、当該フタ１１が閉じられる際に押し込まれる方向を後方向として定義すると共に、当該ＣＤプレイヤ１の前面にユーザが対峙した状態において右方向及び左方向を定義した上で以下説明する。
【００１８】
（２）ディスクドライブ部の構成
図３及び図４に示すように、ディスクドライブ部５は筐体２、フタ１１及びトレイ２１によって構成されている。なお、図３は全体として右側面図を示しているが、説明の都合上、筐体２については断面図を示している。また、図４はフタ１１が開いた状態の正面図を示している。
【００１９】
筐体２はフタ１１及びトレイ２１に対応する空間を有しており、当該フタ１１が閉じられた状態（図１）では、当該トレイ２１を内部に収納して当該フタ１１によって当該トレイ２１の前面を覆うようになされている。
【００２０】
また筐体２の内側右側面には、回転方向に抵抗力を有するロータリーダンパ３２と、略円柱形状のストッパ３３とが設けられている。
【００２１】
フタ１１は、ＡＢＳ（Acrylonitrile Butadiene Styrene）等の合成樹脂で一体成形されてなり、中央部が前方向に盛り上がるように湾曲した略矩形平板状の前面部１１Ａの左右両側縁からそれぞれ後方向に左側面部１１Ｌ及び右側面部１１Ｒが垂設されている。
【００２２】
フタ１１は、左側面部１１Ｌ及び右側面部１１Ｒの外側下部に、当該フタ１１が回動する際の回動中心となるフタ回動軸１２Ｌ及び１２Ｒを左右対称にそれぞれ有しており、当該フタ回動軸１２Ｌ及び１２Ｒが筐体２の内側左右側面に形成された穴状のフタ軸受３１Ｌ及び３１Ｒにそれぞれはめ込まれることにより、当該フタ回動軸１２Ｌ及び１２Ｒを中心として回動されるようになされている。
【００２３】
ちなみにフタ１１は、図示しないフタばねによって前方向に付勢されており、当該フタ１１が閉じられた状態でＣＤプレイヤ１（図１）のフタボタン６が押下されてフタロック爪８と当該フタ１１のロック孔１１Ｈとの係合が解除されると、当該フタばねの付勢力によって前方向に回動されるようになされている。
【００２４】
またフタ１１は、右側面部１１Ｒにギヤ部１３を有しており、筐体２に取り付けられたロータリーダンパ３２に当該ギヤ部１３を歯合させることにより、当該フタ１１がフタ回動軸１２Ｌ及び１２Ｒを中心として回動する際の回動速度を抑えるようになされている。
【００２５】
さらにフタ１１は、右側面部１１Ｒのギヤ部１３の下方にストッパ当接部１４を有しており、当該フタ１１がフタ回動軸１２Ｌ及び１２Ｒを中心に所定角度回動した時点、すなわち当該フタ１１が所定角度開かれた時点で当該ストッパ当接部１４が筐体２のストッパ３３に当接することにより、当該フタ１１の回動を制限してそれ以上開かれないようになされている。
【００２６】
またフタ１１は、左側面部１１Ｌ及び右側面部１１Ｒの内側に略円柱形状のトレイ連動軸１５Ｌ及び１５Ｒが左右対称にそれぞれ設けられている。トレイ連動軸１５Ｌ及び１５Ｒは、フタ１１が回動される際に、当該フタ１１と一体にフタ回動軸１２Ｌ及び１２Ｒを中心に回動されるようになされている（詳しくは後述する）。
【００２７】
一方、トレイ２１は扁平な略箱形状でなり、ユーザに装着されたディスク９（図２）を回転駆動させて楽曲データの読み出しを行うディスク駆動部２２を搭載している。
【００２８】
ディスク駆動部２２は、ディスクチャック部２２Ａ内にボールチャッキング機構が組み込まれており、ユーザにディスク９が装着される際、当該ディスク９の中心孔が当該ディスクチャック部２２Ａに合うように当該ディスク９がディスク回転テーブル２２Ｂに押し付けられると、当該ボールチャッキング機構によって当該ディスク９をディスク回転テーブル２２Ｂに固定するようになされている。これによりディスク駆動部２２は、ディスク９をディスクチャック部２２Ａ及びディスク回転テーブル２２Ｂと一体に回転させ得るようになされている。
【００２９】
またトレイ２１は、当該トレイ２１が回動する際の中心となるトレイ回動軸２３Ｌ及び２３Ｒを左右側面上部に左右対称にそれぞれ有しており、当該トレイ回動軸２３Ｌ及び２３Ｒが筐体２の内側左右側面に設けられたトレイ軸受３４Ｌ及び３４Ｒにそれぞれはめ込まれることにより、当該トレイ回動軸２３Ｌ及び２３Ｒを中心として回動されるようになされている。
【００３０】
さらにトレイ２１は、当該トレイ２１の左右側面下部にカム形状のガイド溝２４Ｌ及び２４Ｒを左右対称に有しており、フタ１１のトレイ連動軸１５Ｌ及び１５Ｒを当該ガイド溝２４Ｌ及び２４Ｒにはめ込み、当該トレイ連動軸１５Ｌ及び１５Ｒに、当該ガイド溝２４Ｌ及び２４Ｒの内側を摺動させ得るようになされている。
【００３１】
ちなみにガイド溝２４Ｌ及び２４Ｒは、その溝幅がトレイ連動軸１５Ｌ及び１５Ｒの円柱部分の直径よりも僅かに大きくなるように形成されており、当該トレイ連動軸１５Ｌ及び１５Ｒをがたつき無くスムーズに摺動させるようになされている。
【００３２】
これによりトレイ連動軸１５Ｌ及び１５Ｒは、フタ１１と一体に回動される際に、ガイド溝２４Ｌ及び２４Ｒの内側を摺動したり、あるいは当該ガイド溝２４Ｌ及び２４Ｒの内側面に力を加えてトレイ２１に力を伝達する。
【００３３】
トレイ２１は、トレイ回動軸２３Ｌ及び２３Ｒを中心に回動するようになされているため、当該トレイ２１の下部のガイド溝２４Ｌ及び２４Ｒの内側面に前後方向への力が加えられると、当該トレイ２１は前後方向に回動することになる。
【００３４】
すなわちディスクドライブ部５は、フタばねの付勢力又はユーザの手の力によってフタ１１が開閉される際、当該フタ１１がフタ回動軸１２Ｌ及び１２Ｒを中心に回動されると、トレイ連動軸１５Ｌ及び１５Ｒとガイド溝２４Ｌ及び２４Ｒとを介してその力をトレイ２１に伝達し、当該トレイ２１をトレイ回動軸２３Ｌ及び２３Ｒを中心に回動させるようになされている。
【００３５】
（３）フタとトレイとの連動
次に、ディスクドライブ部５において、フタ１１とトレイ２１とが連動して動作する様子について説明する。なお、トレイ２１の左側面に形成されたガイド溝２４Ｌは、右側面のガイド溝２４Ｒと左右対称に形成されているため、以下では右側面図のみを用いて説明する。
【００３６】
トレイ２１の右側面を部分的に拡大した図５において、ガイド溝２４は、上側からそれぞれ第１部分溝２４ａ、第２部分溝２４ｂ、第３部分溝２４ｃ、及び第４部分溝２４ｄに区分される。
【００３７】
ガイド溝２４は、上側から下側へ辿っていくと、第１部分溝２４ａではほぼ真下方向へ直線的に進み、第２部分溝２４ｂでは前下方向へ円弧の一部を描くように進み、第３部分溝２４ｃでは後下方向へなだらかな曲線を描きながら進み、第４部分溝２４ｄでは再びほぼ真下方向へ直線的に進むように形成されている。
【００３８】
ところでフタ１１のトレイ連動軸１５は、上述したように、当該フタ１１がフタばねの付勢力及び重力の作用によって回動されることによりフタ回動軸１２を中心に回動し、このときガイド溝２４内を摺動するようになされているが、第１部分溝２４ａ〜第４部分溝２４ｄの形状がそれぞれ異なるため、当該第１部分溝２４ａ〜第４部分溝２４ｄに対してそれぞれ異なった力を加えることになる。
【００３９】
そこで、以下ではトレイ連動軸１５が第１部分溝２４ａ内〜第４部分溝２４ｄ内に位置した状態をそれぞれ第１状態〜第４状態として、各状態についてそれぞれ説明する。
【００４０】
（３−１）第１状態
図６に示すようにフタ１１を完全に閉じた状態において、ディスクドライブ部５は第１状態にある。このときトレイ２１はほぼ垂直に立っており、またフタ１１のトレイ連動軸１５はガイド溝２４の第１部分溝２４ａ内に位置している。
【００４１】
ガイド溝２４の第１部分溝２４ａは、上述したように上側から下側へ向かってほぼ真下に向かう直線状に形成されているため（図５）、当該第１部分溝２４ａ内において、フタ１１のトレイ連動軸１５を上下方向には自由に移動させ得るものの、前後方向には移動させ得ない。
【００４２】
すなわちガイド溝２４を有するトレイ２１は、この第１状態においてトレイ回動軸２３を中心に回動し得るようになされているものの、トレイ連動軸１５によって前後方向への回動を規制されていることになる。
【００４３】
一方フタ１１は、この第１状態ではフタロック爪８（図３）によってロックされているため、筐体２に対して回動することなく固定されており、すなわちトレイ連動軸１５も筐体２に対して位置を固定されている。従ってトレイ２１は、トレイ連動軸１５によって筐体２に対して固定される。
【００４４】
すなわちディスクドライブ部５は、第１状態において、フタ１１を固定していることにより、トレイ連動軸１５及びガイド溝２４の第１部分溝２４ａを介して、トレイ２１を回動させることなく固定させている。
【００４５】
この結果ディスクドライブ部５は、ディスク９（図２）を回転させながら楽曲データを読み出す際に、トレイ２１をがたつかせることがないので、当該ディスク９から安定して楽曲データを読み出すことができる。
【００４６】
（３−２）第２状態
次にディスクドライブ部５は、フタ１１が完全に閉じられた第１状態（図６）においてフタボタン６（図１）が押下されると、フタばねの付勢力によって、図７に示すように当該フタ１１を僅かに開いた第２状態に遷移する。このときフタ１１のトレイ連動軸１５は、ガイド溝２４の第２部分溝２４ｂ内に位置している。
【００４７】
ここで、ガイド溝２４の第２部分溝２４ｂは、上述したように上側から下側へ向かうに連れて前方向へ向かう円弧状に形成されている（図５）が、実際上第２部分溝２４ｂは、図７に示すように、フタ１１が回動する際のトレイ連動軸１５の軌跡Ｃとほぼ一致するように形成されている。
【００４８】
このためガイド溝２４の第２部分溝２４ｂは、フタ１１と一体に回動されるトレイ連動軸１５を逃がすことになり、当該トレイ連動軸１５から力をほとんど受けない。
【００４９】
すなわちディスクドライブ部５は、第２状態において、フタ１１が回動される際にトレイ連動軸１５を第２部分溝２４ｂに沿って逃がすことになり、トレイ２１をほとんど回動させない。
【００５０】
この結果ディスクドライブ部５は、フタ１１が僅かに開いた状態では、トレイ２１をほとんど回動させないことにより、当該トレイ２１の下部を前方へせり出させてフタ１１の後面と干渉させてしまうことを防止することができる。
【００５１】
（３−３）第３状態
続いてディスクドライブ部５は、フタ１１が僅かに開いた第２状態（図７）から、フタばねの付勢力及び重力の作用によって当該フタ１１をさらに開かせ続けることによって、図８に示すように当該フタ１１がある程度開いた第３状態に遷移する。このときフタ１１のトレイ連動軸１５は、ガイド溝２４の第３部分溝２４ｃ内に位置している。
【００５２】
ガイド溝２４の第３部分溝２４ｃは、上述したように上側から下側へ向かうに連れて後方向へ向かうなだらかな曲線状に形成されている（図５）が、実際上第３部分溝２４ｃは、図８に示すように、フタ回動軸１２の回動中心点を通る直線Ｌ３に近似するようになされている。
【００５３】
ここで、フタ回動軸１２の回動中心点を通る直線Ｌ３はトレイ連動軸１５の軌跡Ｃと直交するため、当該直線Ｌ３に近似したガイド溝２４の第３部分溝２４ｃは、フタ１１が回動される際に当該トレイ連動軸１５からほぼ垂直方向の力を受ける。
【００５４】
このとき、フタ１１と一体にトレイ連動軸１５が前方向へ回動される力が第３部分溝２４ｃの内側面に充分に伝達されることにより、トレイ２１は、前方向への大きな力を受け、トレイ回動軸２３を中心に前方向へ大きく回動される。
【００５５】
すなわちディスクドライブ部５は、第３状態においてフタ１１が回動される際に、当該フタ１１を回動させる力をトレイ連動軸１５及び第３部分溝２４ｃを介してトレイ２１に伝えることにより、トレイ２１を大きく回動させるようになされている。
【００５６】
この結果ディスクドライブ部５は、フタ１１がある程度以上開いた第３状態では、トレイ２１を積極的に回動させることにより、当該トレイ２１を大きく前にせり出させるようになされている。
【００５７】
（３−４）第４状態
そしてディスクドライブ部５は、フタ１１がある程度開いた第３状態（図８）から、フタばねの付勢力及び重力の作用によって当該フタ１１をさらに開かせ続けることによって、図９に示すように当該フタ１１のストッパ当接部１４を筐体２のストッパ３３に当接させてフタ１１を完全に開いた第４状態に遷移する。このときフタ１１のトレイ連動軸１５は、ガイド溝２４の第４部分溝２４ｄ内に位置している。
【００５８】
ガイド溝２４の第４部分溝２４ｄは、上述したように上側から下側へ向かってほぼ真下へ向かう直線状に形成されているため（図５）、当該第４部分溝２４ｄ内において、第１部分溝２４ａと同様に、フタ１１のトレイ連動軸１５を上下方向には自由に移動させ得るものの、前後方向には移動させ得ない。
【００５９】
すなわちガイド溝２４を有するトレイ２１は、第１状態と同様に、トレイ回動軸２３を中心に回動し得るようになされているが、トレイ連動軸１５によって前後方向への回動を規制されていることになる。
【００６０】
一方フタ１１は、フタ１１のストッパ当接部１４が筐体２のストッパ３３に当接し、さらにフタばねの付勢力及び重力の影響を受けることにより、筐体２に対して完全に開いた状態で静止している。このためトレイ連動軸１５も筐体２に対して静止している。
【００６１】
すなわちディスクドライブ部５は、第４状態において、フタ１１を静止させていることにより、トレイ連動軸１５及びガイド溝２４の第４部分溝２４ｄを介して、トレイ２１を静止させている。
【００６２】
ところでディスクドライブ部５は、ユーザによってトレイ２１のディスク駆動部２２（図４）にディスク９が装着される際、当該ディスク９がディスク駆動部２２のディスク回転テーブル２２Ｂに押し付けられる。
【００６３】
このときトレイ２１は、ディスク駆動部２２を介してほぼ後方向へ向かう押し付け力を受け、後方向に回動するべく、ガイド溝２４の第４部分溝２４ｄからトレイ連動軸１５へ押し付け力が伝達される。
【００６４】
しかしトレイ連動軸１５は、フタ１１と共に静止されており、またガイド溝２４の第４部分溝２４ｄがほぼ上下方向の直線形状でなるため、ほぼ後方向へ向かう押し付け力を逃がすことなく支えることになる。
【００６５】
すなわちディスクドライブ部５は、ユーザがディスク９をトレイ２１に押し付ける力を逃がすことなく受け止め、当該トレイ２１を前にせり出した第４状態（図９）を保持して、当該ユーザに当該ディスク９をディスク駆動部２２のディスク回転テーブル２２Ｂに装着させやすくするようになされている。
【００６６】
さらにディスクドライブ部５は、この第４状態において、ユーザにディスク９をトレイ２１の法線方向に移動させる際の当該ディスク９の軌跡内に、フタ１１等の障害物を位置しないようになされている。
【００６７】
このためディスクドライブ部５は、ユーザにディスク９を装着させる際に、当該ディスク９をトレイ２１の法線方向に沿って近づけさせ、当該ディスク９をそのまま同じ方向に向けて当該トレイ２１に押し当てさせるだけで当該ディスク９をディスク回転テーブル２２Ｂに固定させることができる。
【００６８】
なおディスクドライブ部５は、第４状態においてユーザの手動操作によってフタ１１の上部が後方向へ回動され押し込まれることにより、当該フタ１１を閉じさせるようになされているが、このとき上述した一連の動作を逆順に行い、第４状態から第３状態、第２状態、及び第１状態へと順次遷移することにより、当該フタ１１と連動してトレイ２１を回動させて徐々に収納し、当該トレイ２１がほぼ垂直に立った第１状態（図６）に戻していくようになされている。
【００６９】
（４）動作及び効果
以上の構成においてディスクドライブ部５は、筐体２にフタ１１とディスク駆動部２２を搭載したトレイ２１とがそれぞれ回動自在に組み込まれ、当該フタ１１が開閉される際に、当該フタ１１と一体に回動するトレイ連動軸１５をガイド溝２４に沿って摺動させることにより、当該フタ１１に連動して当該トレイ２１を回動させ、当該フタ１１が開かれると当該トレイ２１を前方向にせり出させて当該トレイ２１の前面をやや上方へ向け、また当該フタ１１が閉じられると当該トレイ２１を後方向に収納してほぼ垂直に立たせる。
【００７０】
従ってディスクドライブ部５は、フタ１１が開閉される際にフタばねの付勢力や重力の作用によって当該フタ１１に加えられる力を、トレイ連動軸１５とガイド溝２４とを介してトレイ２１に伝えるため、駆動モータや多数のギヤ等を必要とせず、簡易な構成によって当該フタ１１と当該トレイ２１とを連動させることができる。
【００７１】
特にディスクドライブ部５は、フタ１１を開閉させるために駆動モータを使用していないため、ＣＤプレイヤ１の電源が入っていない状態であっても、当該フタ１１を開閉させることができ、このときトレイ２１も必ず連動させることができる。
【００７２】
またディスクドライブ部５は、フタ１１が完全に閉じられた第１状態において（図６）、ガイド溝２４の第１部分溝２４ａ（図５）に位置するトレイ連動軸１５を当該フタ１１と共に固定しているため、当該トレイ連動軸１５によってトレイ２１の回動を規制することができ、当該トレイ２１のがたつきを防止することができる。
【００７３】
このときディスクドライブ部５は、トレイ２１をほぼ垂直に立てているため、当該ディスクドライブ部５全体の前後方向の長さを極めて短く抑えることができ、ＣＤプレイヤ１（図１）の前後方向の長さを短く押さえて小型化に寄与することができる。
【００７４】
さらにディスクドライブ部５は、フタ１１が僅かに開いた第２状態において（図７）、ガイド溝２４の第２部分溝２４ｂ（図５）によってトレイ連動軸１５を回動方向に逃がすことができるので、当該フタ１１が回動されてもトレイ２１をほとんど回動させることが無く、当該トレイ２１の下部と当該フタ１１の後面との干渉を防止することができる。
【００７５】
さらにディスクドライブ部５は、フタ１１がある程度開いた第３状態において（図８）、トレイ連動軸１５が当該フタ１１と一体に回動される際に、ガイド溝２４の第３部分溝２４ｃ（図５）の内側面によって当該トレイ連動軸１５からの力を受けることができるので、当該フタ１１の開閉に応じて当該トレイ２１を前後方向に回動させることができる。
【００７６】
さらにディスクドライブ部５は、フタ１１が完全に開いた第４状態において（図９）、ガイド溝２４の第４部分溝２４ｄ（図５）に位置するトレイ連動軸１５を当該フタ１１と一体に静止させているため、当該トレイ連動軸１５によってトレイ２１の回動を規制することができ、当該トレイ２１を前方向にせり出した状態で静止させてユーザがディスク９をトレイ２１に押し付ける力を逃がすことなく受け止めることができる。
【００７７】
このときディスクドライブ部５は、トレイ２１の下部を前方向にせり出させることにより当該トレイ２１の前面をやや上方向に向けることができ、ユーザにディスク９を装着させやすくすることができる。
【００７８】
そのうえディスクドライブ部５は、ユーザにディスク９を装着させる際に、当該ディスク９をトレイ２１の法線方向に沿って近づけさせ、そのまま同じ方向に向けて当該トレイ２１に押し当てさせるだけで当該ディスク９をディスク回転テーブル２２Ｂに固定することができ、例えば当該ディスク９を当該トレイ２１の法線方向以外の斜め方向に沿って近づけさせてから当該法線方向に押し付けさせるといった不自然な動作をユーザに強いることがない。
【００７９】
以上の構成によれば、ディスクドライブ部５は、筐体２に対してフタ１１が開閉される際に、トレイ連動軸１５をガイド溝２４に沿って摺動させ、当該フタ１１に加えられる力をトレイ連動軸１５及びガイド溝２４を介してトレイ２１に伝えることにより、当該フタ１１と連動して当該トレイ２１を回動させて、当該フタ１１が開かれると当該トレイ２１の下部を前方向にせり出させて当該トレイ２１の前面をやや上方へ向けることができ、また当該フタ１１が閉じられると当該トレイ２１の下部を後方向に収納しほぼ垂直に立たせることができるので、駆動モータや多数のギヤ等を必要とせずに簡易な構成によって当該フタ１１と当該トレイ２１とを連動させることができ、かくして簡易な構成でユーザにディスクの着脱を容易に行わせ得るディスクドライブ装置を実現することができる。
【００８０】
（５）他の実施の形態
なお上述の実施の形態においては、トレイ連動軸１５（１５Ｌ及び１５Ｒ）とガイド溝２４（２４Ｌ及び２４Ｒ）とによりフタ１１とトレイ２１とを連動させるようにした場合について述べたが、本発明はこれに限らず、例えばギア機構やリンク機構等の他の動力伝達手法を用いてフタ１１とトレイ２１とを連動させるようにしてもよい。
【００８１】
また上述の実施の形態においては、ディスク９をほぼ垂直に立てた状態で再生する縦型のディスクドライブ部５に本発明を適用するようにした場合について述べたが、これに限らず、ディスク９を水平に寝かせた状態で再生する横型のディスクドライブ部に本発明を適用するようにしても良い。この場合、ディスクドライブ部がトレイを上方へせり上げることにより、ユーザにディスク９を当該ディスクドライブ部に装着させやすくすることができる。
【００８２】
さらに上述の実施の形態においては、フタ１１の左右両方にトレイ連動軸１５（１５Ｌ及び１５Ｒ）を設け、トレイ２１の左右両方にガイド溝２４（２４Ｌ及び２４Ｒ）を設けるようにした場合について述べたが、本発明はこれに限らず、フタ１１及びトレイ２１の左右いずれか一方のみにトレイ連動軸１５及びガイド溝２４を設けるようにしても良い。
【００８３】
さらに上述の実施の形態においては、ＣＤを再生するディスクドライブ部５に本発明を適用するようにした場合について述べたが、これに限らず、例えばＤＶＤ（Digital Versatile Disc）を再生するＤＶＤプレイヤ等、種々のディスク状記録媒体にデータの記録や再生等を行う種々の電子機器に本発明を適用するようにしても良い。
【００８４】
さらに上述の実施の形態においては、ポータブル型のＣＤプレイヤ１に搭載されたディスクドライブ部５に本発明を適用するようにした場合について述べたが、これに限らず、いわゆる据え置き型や携帯型等の、種々のＣＤプレイヤのディスクドライブ部に本発明を適用するようにしても良い。
【００８５】
さらに上述の実施の形態においては、ディスク駆動部２２のディスクチャック部２２Ａにボールチャッキング機構が組み込まれるようにした場合について述べたが、本発明はこれに限らず、ディスク駆動部２２にディスクを固定するための機構を組み込まず、例えばフタ１１の後面にディスク９をディスク回転テーブル２２Ｂに押さえ付けるディスク押付手段を設けるようにしても良い。さらにこの場合、トレイ２１にディスク駆動部２２を搭載せずに、筐体２に当該ディスク駆動部２２を搭載するようにしても良い。
【００８６】
さらに上述の実施の形態においては、フタ１１をフタばねの付勢力によって開かせ、また当該フタ１１をユーザの手動作業に基づく力によって閉じさせるようにした場合について述べたが、本発明はこれに限らず、例えば駆動モータ等の動力源による駆動力を用いて当該フタ１１の開閉動作を行うようにしても良い。この場合、駆動モータはフタ１１を開閉させるだけで、トレイ連動軸１５及びガイド溝２４によって当該フタ１１と連動してトレイ２１を回動させることができるので、機構を複雑化せずに済む。
【００８７】
さらに上述の実施の形態においては、ディスクドライブ装置としてのディスクドライブ部５が、筐体２と、開閉動作伝達手段としてのトレイ連動軸１５を具える蓋体としてのフタ１１と、蓋体回動手段としてのリンク溝２４を具えるディスク保持手段としてのトレイ２１とを有するようにした場合について述べたが、本発明はこれに限らず、ディスクドライブ装置が、他の種々の構成による筐体と、他の種々の構成による開閉動作伝達手段を具える蓋体と、他の種々の構成による蓋体回動手段を具えるディスク保持手段とを有するようにしても良い。
【産業上の利用可能性】
【００８８】
本発明は、ＣＤプレイヤの他、ＤＶＤ等の種々のディスク状記録媒体に対してデータの記録及び再生を行う種々の電子機器でも利用できる。
【図面の簡単な説明】
【００８９】
【図１】本発明のディスクドライブ部を有するＣＤプレイヤの外観構成（１）を示す略線的斜視図である。
【図２】本発明のディスクドライブ部を有するＣＤプレイヤの外観構成（２）を示す略線的斜視図である。
【図３】ディスクドライブ部の構成（１）を示す略線的側面図である。
【図４】ディスクドライブ部の構成（２）を示す略線的斜視図である。
【図５】ガイド溝の構成を拡大して示す略線的側面図である。
【図６】第１状態を示す略線的側面図である。
【図７】第２状態を示す略線的側面図である。
【図８】第３状態を示す略線的側面図である。
【図９】第４状態を示す略線的側面図である。
【符号の説明】
【００９０】
１……ＣＤプレイヤ、２……筐体、５……ディスクドライブ部、６……フタボタン、８……フタロック爪、９……ディスク、１１……フタ、１２（１２Ｌ、１２Ｒ）……フタ回動軸、１５（１５Ｌ、１５Ｒ）……トレイ連動軸、２１……トレイ、２２……ディスク駆動部、２３（２３Ｌ、２３Ｒ）……トレイ回動軸、２４（２４Ｌ、２４Ｒ）……ガイド溝、２４ａ……第１部分溝、２４ｂ……第２部分溝、２４ｃ……第３部分溝、２４ｄ……第４部分溝、３１（３１Ｌ、３１Ｒ）……フタ軸受、３４（３４Ｌ、３４Ｒ）……トレイ軸受。
【図１】
2006024249.tif 000003
【図２】
2006024249.tif 000004
【図３】
2006024249.tif 000005
【図４】
2006024249.tif 000006
【図５】
2006024249.tif 000007
【図６】
2006024249.tif 000008
【図７】
2006024249.tif 000009
【図８】
2006024249.tif 000010
【図９】
2006024249.tif 000011